(57)【要約】【課題】時計は正確な時刻を示すという我々が持つ固定観念の逆手を取ることで新たな付加価値を有する時計が求められていた。【解決手段】本発明の時計は、第１の区間において第１の時間計測速度で時間を計測し、第２の区間において第２の時間計測速度で時間を計測する時間計測手段と、前記時間計測手段における時間計測に基づいて時刻を表示する時刻表示手段と、を具備する。当該構成によれば、所定の時刻において意図的に正確な時刻から外れた時刻を表示できる一方、別の時刻では正確な時刻を示すことで、観察者に正確な時計であると感じさせつつ、必要なタイミングで観察者の行動を制御することができる。【選択図】図１
2013228213.tif 000002
【特許請求の範囲】
【請求項１】
第１の区間において第１の時間計測速度で時間を計測し、第２の区間において第２の時間計測速度で時間を計測する時間計測手段と、
前記時間計測手段における時間計測に基づいて時刻を表示する時刻表示手段と、
を具備する時計。
【請求項２】
前記時間計測手段は、
所定の間隔でクロック信号を出力する発振手段と、
前記発振手段から出力される前記クロック信号を所定の回数カウントする毎に単位時間が経過したことを示す単位時間経過信号を出力する計数手段と、
前記計数手段が前記単位時間経過信号を出力するまでに要する前記クロック信号のカウント数を制御する制御手段と、
を具備する請求項１に記載の時計。
【請求項３】
前記制御手段は、前記第１の区間において所定の基準カウント数よりも少ない第１カウント数を、前記計数手段が前記単位時間経過信号を出力するまでに要する前記クロック信号のカウント数として設定し、前記第２の区間において前記基準カウント数よりも多い第２カウント数を、前記計数手段が前記単位時間経過信号を出力するまでに要する前記クロック信号のカウント数として設定する、
請求項２に記載の時計。
【請求項４】
前記時間計測手段は、
少なくとも第１の間隔で出力される第１クロック信号と第２の間隔で出力される第２クロック信号の２種類のクロック信号を出力する発振手段と、
前記第１の区間において前記発振手段から出力される前記第１クロック信号に基づいて時刻情報を生成し、前記第２の区間において前記発振手段から出力される前記第２クロック信号に基づいて時刻情報を生成する時刻情報生成手段と、
を具備する請求項１に記載の時計。
【請求項５】
前記時間計測手段は、
現在の時間帯が前記第１の区間であることを示す第１制御信号又は前記第２の区間であることを示す第２制御信号を出力する制御手段を更に具備する、
請求項４に記載の時計。
【請求項６】
第１の間隔で第１クロック信号を出力する第１発振手段と、
第２の間隔で第２クロック信号を出力する第２発振手段と、
前記第１クロック信号又は前記第２クロック信号のいずれかを選択する制御を行う制御手段と、
前記制御手段における制御に基づいて選択された前記第１クロック信号又は前記第２クロック信号に基づいて時刻情報を生成する時刻情報生成手段と、
を具備する請求項１に記載の時計。
【請求項７】
アラーム音を報知する時刻であるアラーム時刻を設定する設定手段と、
前記アラーム時刻に基づいて前記時間計測手段における前記時間計測速度を制御する制御手段と、
前記時間計測手段における前記時間計測により得られる現在の時刻と前記アラーム時刻とが一致する場合に前記アラーム音を報知するアラーム手段と、
を更に具備する請求項１に記載の時計。
【請求項８】
所定の間隔でクロック信号を出力する発振手段と、
基準となる時間計測速度で時間を計測して第１時刻情報を生成する第１時刻情報生成手段と、
時間の計測速度を制御する制御手段と、
前記制御手段によって制御された時間計測速度で時間を計測して第２時刻情報を生成する第２時刻情報生成手段と、
前記第２時刻情報生成手段で生成された前記第２時刻情報に基づいて決定される時刻を表示する時刻表示手段と、
を具備する時計。
【請求項９】
前記第２時刻情報生成手段における時間計測速度に関する情報を設定する設定手段と、
前記設定手段で設定された前記時間計測速度に関する情報を記憶する記憶手段と、
を更に具備し、
前記制御手段は、前記記憶手段に記憶された前記時間計測速度に関する情報に基づいて前記第２時刻情報生成手段における前記時間計測速度を制御する、
請求項８に記載の時計。
【請求項１０】
外部からの操作入力を受ける操作入力手段と、
前記時間計測速度に関する情報を設定する設定画面を表示する設定画面表示手段と、
を更に具備し、
前記設定手段は、前記操作入力手段で受けた操作入力に基づいて前記時間計測速度に関する情報を設定する、
請求項９に記載の時計。
【請求項１１】
前記設定手段は、前記操作入力手段で受けた操作入力に基づいて時間をずらして表示する時刻及びずらす時間幅を前記時間計測速度に関する情報として設定する、
請求項１０に記載の時計。
【請求項１２】
前記設定手段は、少なくとも一つの時刻において表示する時刻が基準となる時刻に対して進むように設定し、他の時刻において前記表示する時刻が基準となる時刻に対して遅れるように設定する、
請求項１０又は１１に記載の時計。
【請求項１３】
前記設定手段は、前記基準となる時間計測速度で時間を計測する時間帯と、前記基準となる時間計測速度より速い時間計測速度で時間を計測する時間帯と、前記基準となる時間計測速度より遅い時間計測速度で時間を計測する時間帯と、を前記時間計測速度に関する情報として設定する、
請求項１０乃至１２のいずれか１項に記載の時計。
【発明の詳細な説明】
【技術分野】
【０００１】
本発明は時計に関し、特に制御機能を有する時計と当該時計で実行される制御プログラムに関する。
【背景技術】
【０００２】
私達人間は、「時間：time」と言う概念を作り出し、そして、その概念に縛られながら生活をしている。すなわち、私達は、この宇宙に絶え間無く進む時の流れを「年、月、日、時、分、秒」というフレーム（枠）に当て嵌め、この概念に強く影響を受けながらもそれを当たり前のものとして日々の生活を暮らしている。
【０００３】
しかしながら、この概念は、人間が作り出したものであるがゆえ、人間だけが持ち合わせた共通の資産である。従って、犬や鳥や魚や昆虫は、この概念を持ち合わせていない。例えば、ペット犬が持ち合わせる時間の概念は、昼と夜が交互する「日：day」の概念や、その他、自己の食欲周期や発情周期に関連する時の概念を持っていても、「月：month」や「分：minute」の概念は持ち合わせていない。
【０００４】
渡り鳥は、気候に合わせて過す場所を変える必要から「季節：seasons」や「年：year」に類似する概念は持ち合わせているであろう。しかし、数日の命しか与えられていない昆虫には無用の概念である。
【０００５】
人間とて例外ではない。例えば「時間」の概念を教えられていない赤子は理解できないし、紀元前の人類は「時、分、秒」と言うより精緻な概念を未だ手に入れていなかった。
【０００６】
このような中にあっては、メソポタミア文明において、直感的に理解しやすい月（moon）の満ち欠けの周期である約３０日を基準とする太陰暦や６０進法が標準となったことは至極当然のことであった言えよう。そして、太陽高度の正確な測量が求められる太陽暦を標準化したエジプト文明が、その進んだ測量技術を用いることで巨大なピラミッドを建立し、その技術力の高さを諸外国に示すことでより偉大な発展を遂げたことも、また必然であったと言える。
【０００７】
一方、中世ヨーロッパにおいて、金貸し業が発展するにつれて、「日」の概念だけでは返済期限を示すには大雑把すぎてトラブルが尽きなくなったことから、「日」を細分化した「時」の概念が導入され、各町には「時」を知らせる時計台が設置されるようになった。
【０００８】
そして、より正確な「時間」の概念の下で生活することが経済の発展に繋がることを知ってしまった私達人間は、更に細かな「分」と「秒」を作り出し、返って日々を追われる生活に縛られてしまっている。これが、経済が発展している先進国は時間に煩く、発展途上国は時間の概念が緩い理由の一つである。とりわけ日本は数十秒電車が遅れただけでも苛立つ人が現れるほど時間に束縛されている。貧しいながらも時間から開放された発展途上国の人々の方が幸せかは分からない。しかし、少なくとも私達日本人は「豊かさ」に価値を見出すように洗脳されているため、時間からの開放は、豊かさの放棄、すなわち、私達自身の価値観のパラダイムシフトが不可欠である。
【０００９】
このような時間に沿った生活を可能としてくれる道具が「時計」であり、また、時間に縛り付けているのも「時計」である。目に見えない時の流れを、針の方向や表示盤の数字にルールを与えて視覚化したものこそが「時計」である。
【００１０】
豊かさを「是」とする私達先進国の人間には、より正確に時を計れる時計が「良い」時計になる。従って、私達はより正確な時計を欲しがり、そのニーズに合わせて企業がより精緻に時を計るよう技術を進める。
【００１１】
特許文献１には、外部に設置された送信局より受信した標準電波に含まれる外部時刻に基づいて内部時計の時刻調整を行うことで正確な時刻を表示する時計が開示されている。より正確な時間を示す外部時刻に同調させることで、使用者に対してより正確な時刻を表示することが可能となる。
【００１２】
また、特許文献２には、位置情報衛星より受信したＧＰＳ信号を利用して消費電力を最適化しながら時刻修正を行うことができる時計が開示されている。当該時計によれば、特許文献１の場合と比較して、より多くの頻度で時刻修正の機会を得ることができるため、更に正確な時刻を表示することが可能となる。
【先行技術文献】
【特許文献】
【００１３】
【特許文献１】特開２０１１−２４２３２２号公報
【特許文献２】特開２０１２−２８２８号公報
【発明の開示】
【発明が解決しようとする課題】
【００１４】
時計と言う道具の機能を突き詰めると、本質的に２つの機能に収束する。それは、「時間計測機能」と「時刻表示機能」である。時間を計測できなければもはや字の如く時計では無いし、時間計測機能を有していても、計測した時間に基づいて現在の時刻を使用者に対して表示（提示）する機能がなければ道具としての意味を成さない。
【００１５】
従って、時計の進化は、これらの２つの機能に如何なる内的・外的な付加価値を追加していくかとなる。ここで、豊かさに追われた人間のための時計の「正常」な進化は、より正確に現在の時刻を表示することである。上記特許文献１、２のように調整機能を追加することにより実現することや、より高品質の発振器を利用するなどの手段が取られる。
【００１６】
ここで、本願発明者は、豊かさに取り付かれた人間の時間に縛られた感覚を逆手に取ることで新たな効果や付加価値を生むことができないかの研究を行った。
【００１７】
一例として、営業時間が朝９時〜夜１０時までの書店において、閉店時刻１０時になってもなかなか帰らない客が存在する。閉店時刻だからと言って無理にこのような客を追い出す事は、トラブルの原因となることや、融通の利かない店であるとの悪評を立てられる恐れに繋がることから適切な対応が取れず、このような客の善良な精神に任せて早く帰ってくれるのを待つしか店主にとって対応が取れないとの問題があった。
【００１８】
このような問題となる客の行動観察を行ったところ、閉店時刻後に５分程度は居残れることを当然の権利と捉えがちであり、それまでに強制的に追い出された場合は、不快感を感じる。一方、約１０分経過した場合には、流石に罪悪感から居心地が悪くなり、追い出されても仕方がないと感じる傾向があるとの結果を得た。
【００１９】
ここで、この店が時給１０００円のアルバイトを３人雇っていた場合に、当該１０分居残る一人の客のために追加で支払わなければならない人件費は合計５００円となり、年間で１８万円にも上る。
【００２０】
上記のように時計の高精度化によって生じる弊害を課題として捉え、本発明は、時計は正確な時刻を示すという我々が持つ固定観念の逆手を取ることで新たな付加価値を有する時計を提供することを目的とする。
【課題を解決するための手段】
【００２１】
本発明の時計は、第１の区間において第１の時間計測速度で時間を計測し、第２の区間において第２の時間計測速度で時間を計測する時間計測手段と、前記時間計測手段における時間計測に基づいて時刻を表示する時刻表示手段と、を具備する。
【００２２】
また、本発明の別態様に係る時計は、所定の間隔でクロック信号を出力する発振手段と、基準となる時間計測速度で時間を計測して第１時刻情報を生成する第１時刻情報生成手段と、時間の計測速度を制御する制御手段と、前記制御手段によって制御された時間計測速度で時間を計測して第２時刻情報を生成する第２時刻情報生成手段と、前記第２時刻情報生成手段で生成された前記第２時刻情報に基づいて時刻を表示する時刻表示手段と、を具備する。
【発明の効果】
【００２３】
本発明によれば、時計は正確な時刻を示すという我々が持つ固定観念を逆手に取ることで得られる新たな付加価値を提供することが可能となる。
【図面の簡単な説明】
【００２４】
【図１】実施の形態１に係る時計の構成を示すブロック図である。
【図２】各区間（各時間帯）と時間計測速度との関係を示すグラフである。
【図３】各時刻において時刻表示部が表示する時刻（指針の位置）を示す図である。
【図４】比較例として、時間の進んだ従来の時計の時刻表示部が各時刻において表示する時刻（指針の位置）を示す図である。
【図５】比較例として、時間計測速度が速い従来の時計の時刻表示部が各時刻において表示する時刻（指針の位置）を示す図である。
【図６】各区間（各時間帯）と時間計測速度との別の関係を示すグラフである。
【図７】実施の形態２に係る時計の構成を示すブロック図である。
【図８】実施の形態２に係る時計の変形例の構成を示すブロック図である。
【図９】実施の形態２に係る時計の変形例の構成を示すブロック図である。
【図１０】実施の形態２に係る時計の変形例の構成を示すブロック図である。
【図１１】実施の形態２に係る時計の変形例の構成を示すブロック図である。
【図１２】各区間（各時間帯）と時間計測速度の一概念である単位時間のカウント数との関係を示すグラフである。
【図１３】各区間（各時間帯）と基準時刻からの変移の大きさを示すグラフである。
【図１４】実施の形態３に係る時計の構成を示すブロック図である。
【図１５】実施の形態４に係る時計の構成を示すブロック図である。
【図１６】実施の形態４に係る時計の６面図である。
【図１７】実施の形態４に係る設定画面の一例を示す図である。
【図１８】各時刻における時間計測速度（単位時間を測るために要するクロック信号のカウント数）の一例を示すグラフである。
【図１９】各時刻における時間計測速度（単位時間を測るために要するクロック信号のカウント数）の別の例を示すグラフである。
【図２０】制御部が時間計測速度を制御する処理の流れを示すフローチャート図である。
【図２１】実施の形態４に係る時計の別の構成を示すブロック図である。
【図２２】実施の形態４に係る設定画面の一例を示す図である。
【図２３】実施の形態４に係る時計の別の構成を示すブロック図である。
【図２４】実施の形態５に係る時計の構成を示すブロック図である。
【図２５】実施の形態５に係る設定画面の一例を示す図である。
【図２６】実施の形態６に係る時計の構成を示すブロック図である。
【図２７】実施の形態６に係る時計の別の構成を示すブロック図である。
【発明を実施するための形態】
【００２５】
以下、本発明の各実施の形態について図面を参照して詳細に説明する。以下の説明において同一の符号が付された部分は実質的に同一の機能を有している。また、発明の明確化のため重複部分は適宜説明が省略されている。
【００２６】
（実施の形態１）
図１は本発明の実施の形態１に係る時計１００の構成を示すブロック図である。時計１００は、時間計測部１１０と、時刻表示部１２０と、を備える。
【００２７】
時間計測部１１０は、第１の区間（第１の時間帯）では基準速度より速い速度で時間を計測し、第２の区間（第２の時間帯）では基準速度より遅い速度で時間を計測する。
【００２８】
ここで、一般的に速度と言う概念は移動距離を時間で割ったｍ／ｓの単位で表される物理量であるため、時間を計測する速度という概念は本来存在しない。そこで、本明細書では、基準となる１秒の時間より短い時間を１秒として計測する場合は、時間計測速度が速いと定義し、基準となる１秒の時間より長い時間を１秒として計測する場合は時間計測速度が遅いと定義する。すなわち、時間計測速度の速い時計と遅い時計がある場合に、時間計測速度の速い時計が示す時刻は時間計測速度の遅い時計が示す時刻よりも進むことになり、端的に言えば、時間計測速度の速い時計の指針は時間計測速度の遅い時計の指針より早く進んでいく。
【００２９】
従って、時間計測部１１０は、第１の区間において、基準となる一秒の時間に対してより短い時間を一秒として計測し、第２の区間において当該基準となる一秒の時間に対してより長い時間を一秒として計測する。
【００３０】
第１の区間としては、例えば午前とし、第２の区間として午後とすることができる。また、その他、第１の区間を朝６時から深夜０時までの１８時間の時間帯とし、第２の区間を深夜０時から朝の６時までの６時間の時間帯とすることも可能である。
【００３１】
なお、第１の区間と第２の区間の取り方は、上記区間に限定されるものではない。時計１００の使用目的に応じて適宜設定することが可能である。上記第１の区間と第２の区間は、それぞれ１時間周期、一日周期、一週間周期等、目的に応じて周期的に現れることが好ましい。また、上記第１の区間と第２の区間は、一つの周期内に複数存在しても良い。
【００３２】
また、上記第１の区間と第２の区間の合計が２４時間であることに限るものではない。例えば、午前８時〜午前１０時の２時間を第１の区間とし、午後９時から午後１０時３０分までの１時間半を第２の区間とし、その他の区間（時間帯）を第３の区間と定義しても良い。ここで、第３の区間は、時間計測部１１０が基準となる速度で時間を計測する区間（時間帯）を示している。
【００３３】
時刻表示部１２０は、使用者に対して現在の時刻を提示（表示）するものであり、時間計測部１１０における計測結果に基づいて現在の時刻を表示する。なお、時間計測部１１０は、正確な時刻を計測するものではないため、時刻表示部１２０で表示される現在の時刻は、標準的な時刻に対して意図的にズレが生じている。
【００３４】
時刻表示部１２０は、具体的には、時刻表示盤と時針、分針、秒針等の指針の他、当該指針を駆動させるモーター等で構成される。なお、時刻表示部１２０は、液晶パネル等の表示盤と当該液晶パネル等の表示盤に現在の時刻を表示させるドライバ等で構成することも可能である。この形態においては、当該液晶パネルにおいて、時間計測部１１０で計測される「１秒」を示す点滅表示を合わせて行う構成とすることも可能である。
【００３５】
図２は、時間計測部１１０における時間計測速度の関係を示すグラフである。図２において、実線が、時間計測部１１０における時間計測速度（以下、実測速度と称する）であり、点線は、基準時間計測速度Ｖ０（以下、基準速度と称する）を示している。
【００３６】
ここで、基準速度とは、時計１００内部において基準となる時間の計測速度であり、時計１００外部において標準とされる時間の計測速度である標準時間計測速度Ｖｓ（以下、標準速度と称する）に理想的に近づけられた時間計測速度である。
【００３７】
標準速度は、現在の地球上において標準化された時間の計測速度であり、西暦１９６７年／１９６８年に開催された第１３回国際度量衡総会決議１において定義された時間単位を利用することができる。すなわち、標準速度とは、基底状態におけるセシウム１３３原子の２つの超微細準位間での遷移に対応する電磁波の９１９２６３１７７０周期に相当する時間を一秒として計測する速度を示している。私達人間の世界においては、当該標準速度を共通の尺度としてすべての事象が測られている。
【００３８】
本明細書では、当該世界標準で定義された時間を標準時間と称し、時計１００内部において当該標準時間に極力合致するように調整された時間を基準時間と称する。すなわち、上記基底状態におけるセシウム１３３原子の２つの超微細準位間での遷移に対応する電磁波の９１９２６３１７７０周期に相当する時間が標準単位時間である標準一秒に該当し、当該標準一秒と同一の長さを１秒として時計１００内部で計測する時間が基準単位時間である基準一秒となる。
【００３９】
なお、標準時間が精密に計測される時間であり、世界で共通化されているのに対し、基準時間は比較的安価な時計１００内部で計測される時間であるため、現実的には僅かなズレが存在するため、時間の経過と共にズレが蓄積し、時刻表示部１２０で示す現在時刻に狂いが生じる。以下の実施の形態では、本願発明を明確化するため、特記した場合の除き基準時間と標準時間は完全一致（すなわち、基準速度と標準速度は完全一致）しているものとして説明する。
【００４０】
また、以下の説明では、時間計測部１１０が実際に計測する時間の計測速度である実測速度によって測定される時間を実測時間と称する。
【００４１】
図２の説明に戻り、基準速度は、当然ながら時間の経過に関わらず一定のＶｓである。これに対し、時間計測部１１０が実際に計測する実測速度は、第１区間においてＶｓよりも速いＶ１であり、第２区間においてＶｓよりも小さいＶ２である。図２に示すように、時間計測部１１０は、第１区間と第２区間の切り替わりタイミングで実測速度をＶ１からＶ２に変更する。同様に、時間計測部１１０は、第２区間から第１区間の切り替わりタイミングで実測速度をＶ２からＶ１に変更する。
【００４２】
図３は、図２におけるｔ０．５〜ｔ３までの間に時刻表示部１２０における指針が指し示す時刻を示している。但し、図３では、本発明を説明する便宜上、時針と秒針は省略し、分針のみを例示する。図３において、実線の矢印が実際に時刻表示部１２０が指し示す現在の時刻を示しており、点線の矢印は、基準速度で時間計測した場合に示される仮想的な時刻を示している。但し、基準速度が標準速度と一致しているため、現実的には点線の矢印が正確な現在の時刻を示していることになる。
【００４３】
図３の例において、ｔ０．５の時刻において、実際に時刻表示部１２０が示す時刻（すなわち実線の矢印）が正しい標準時刻（すなわち点線の矢印）と一致している。ここで、図２の通り、第１区間内であるｔ０．５〜ｔ１の区間において、時間計測部１１０は、基準速度Ｖ０よりも速い第１の時間計測速度である第１実測速度Ｖ１で時間計測を行い、時刻表示部１２０は、当該時間計測部１１０における時間計測結果に基づいて現在の時刻を表示する。従って、図３において、ｔ１における時計図が示すように、時刻表示部１２０は、正確な時刻よりも進んだ時刻を表示する。
【００４４】
続いて、第２区間であるｔ１〜ｔ２の間は、時間計測部１１０は、基準速度Ｖ０よりも遅い第２の時間計測速度である第２実測速度Ｖ２で時間計測を行い、時刻表示部１２０は、当該時間計測部１１０における時間計測結果に基づいて現在の時刻を表示する。従って、中間地点であるｔ１．５のタイミングでは、ｔ１の段階で進んでいた時間分相殺されて再び時刻表示部１２０は正しい時刻を示す。更に進んで、ｔ２のタイミングでは、時計図が示すように、時刻表示部１２０は、正確な時刻よりも遅れた時刻を表示する。
【００４５】
図２から分かるように、ｔ２のタイミングを経過すると再び第１区間となるため、時間計測部１１０は、基準速度Ｖ０よりも速い第１実測速度Ｖ１で時間計測を行う。従って、中間地点であるｔ２．５のタイミングでは、ｔ２の段階で遅れていた時間分が再び相殺されて、再び時刻表示部１２０は正しい時刻を示す。更に進んで、ｔ３のタイミングでは、時刻表示部１２０は、正確な時刻よりも進んだ時刻を表示する。
【００４６】
時間表示部１２０で示される現在の時刻が基準となる正確な時刻に対して上述した関係を満たすようになることで、本発明の課題を解決することが可能となる。
【００４７】
すなわち、図３の例において、例えば、Ｘ時１５分に時計１００を確認する生徒に対して、進んだ時刻を表示することで、例えば回答を急がせると言ったことができる。また、Ｘ時４５分に時計１００を確認する学生に対して、遅れた時刻を表示することで、例えばまだ休憩時間ではないとしてより長い時間授業を受けさせることができる。
【００４８】
なお、時間計測部１１０における実測速度と基準速度の差は、人間には注意深く観測しなければ感知できない程度の速度差としておくことで、時刻表示部１２０を観測する人間に時間の計測速度が異なっていることを感じさせること無く、一方で、当該速度差から生じる時間のズレの蓄積により生じる現在時刻の表示を制御することが可能となる。
【００４９】
以上のように、本実施の形態１に係る時計１００は、第１の区間において第１の時間計測速度で時間を計測し、第２の区間において第２の時間計測速度で時間を計測する時間計測部１１０と、当該時間計測部における時間計測に基づいて時刻を表示する時刻表示部１２０と、を具備する。
【００５０】
当該構成とすることで、希望する時刻において、正確な現在時刻とは異なる時刻を観察者に表示することができる。
【００５１】
ここで、上記第１の時間計測速度は、第２の時間計測速度より速い時間計測速度とすることができる。ここで、第１の時間計測速度は、世界で標準的に利用されている標準的な時間計測速度と比較して早く、第２の時間計測速度は、当該標準的な時間計測速度と比較して遅くなるように設定されていることが好ましい。
【００５２】
当該構成とすることで、時間の進みと時間の遅れが相殺されて、所定のタイミングでは時刻表示部１００において正確な時刻を表示させることができる。
【００５３】
このことは、従来の時計と比較して以下の利点を有する。図４は、比較例として時間の進んだ従来の時計を示している。図４から分かるように、当該時計において、時間計測部は標準速度と同じ速度で時間を計測しているため、時間の経過に伴って標準時刻とのずれは拡大しない。しかしながら、既に時刻表示部において指し示す現在の時刻が正しくないため、常に進んだ時刻を示している。このような時計を定期的に観測する人間は、当該時計が進んでいることを容易に認識することができてしまう。すなわち、観察する人間にとって、図４に示す従来の時計は、単に正確ではない時刻を示している時計に過ぎない。
【００５４】
また、図５は、比較例として時間計測速度の進んだ別の従来の時計を示している。図５の時計では、ｔ０．５の時刻では、時刻表示部において正確な時刻を表示しているものの、時間計測部における時間計測速度が標準的な時間計測速度よりも速いため、時間の経過と共に、時刻表示部が指し示す現在の時刻が、標準時刻からズレていき、そのまま時間のズレが拡大してしまう。このような時計についても、観察する人間にとっては、単に正確ではない時計に過ぎない。
【００５５】
これに対し、図３に示した本発明の時計１００は、周期的に正確な時刻を指し示しているため、当該タイミングで時計１００を観測する人間は、当該時計１００は正確な時計であると錯覚する。従って、図３におけるｔ１やｔ２のタイミングで時計を観察した場合、実際には時刻表示部１２０は、正確な時刻を指し示していないにもかかわらず、当該時計１００は正確な時計であると言う錯覚に引きずられることで、このｔ１やｔ２において指し示されている時刻が正しい時刻であると錯覚する。従って、このようなｔ１やｔ２のタイミングで時間のズレを積極的に演出したい使用者にとって好ましい効果を奏することができる。
【００５６】
例えば、上記課題でも言及したように、営業時間が朝９時〜夜１０時までの書店において、閉店時刻である夜１０時のタイミングにおいて、時計の時刻表示部が１０時１０分の時刻を現在の時刻として表示することで、客の早期退店を自然に促すことができ、また、開店時刻である朝９時のタイミングにおいて、時計の時刻表示部が８時５０分の時刻を現在の時刻として表示することで、顧客は自分のために早く店を開けてくれた親切な書店であると錯覚させることで評判向上を図るといった高い付加価値を生み出すことが可能となる。
【００５７】
なお、上記第１区間と第２区間とが周期的に現れるように設定するとなお好ましい。例えば１日毎に第１区間と第２区間がくるようにすることで、毎日定期的に決まった時刻において時刻のズレを演出することができる。
【００５８】
なお、当該時計１００を時間計測速度ではなく時間の観点からみると、時計１００は、第１の区間において標準的な一秒の長さである標準一秒の時間を一秒より長い時間であるとして時間計測を行い、第２の区間において当該標準的な一秒の長さである標準一秒の時間を一秒より短い時間であるとして時間計測を行う時間計測部１１０と、当該時間計測部における時間計測に基づいて時刻を表示する時刻表示部１２０と、を備えていると見ることもできる。
【００５９】
また、上述したように、第１区間と第２区間以外にも基準速度で時間を計測する第３区間を設けることも可能である。第１区間と第２区間で時間のズレが相殺された上で、基準速度で時間計測を行う第３区間を設けることで当該第３区間において時計１００の時刻表示部１２０は正しい時刻を提示する。従って、当該第３区間に当該時刻表示部１２０を観察した観察者は当該時計１００が正確な時計であると錯覚するため、時間がズレている時間帯においても当該時刻表示部１２０は正しい時刻を示していると認識することが期待できる。
【００６０】
このように、技術の進化した現在の時計は、時間が大きくずれていることは無いと言う先入観を私達人間が有しているため、その思い込みを逆手にとって異なる時間を提示しつつも、正しい時刻を提示する区間を設けておくことで、当該時計は正しい時刻を提示していると思い込ませることが可能となる。
【００６１】
なお、図２において、第１区間と第２区間の長さが同一である場合について説明したが、これに限定されるものではない。第１区間の長さと第２区間の長さを異なるように設定しても良い。
【００６２】
また、第１区間における時間計測速度である実測速度Ｖ１の基準速度Ｖ０からのズレの大きさ（すなわちＶ１−Ｖ０）と、第２区間における時間計測速度である実測速度Ｖ２の基準速度Ｖ０からのズレの大きさ（すなわちＶ０−Ｖ２）とが異なるように時間計測部１１０は時間計測速度を設定しても良い。
【００６３】
但し、時間のズレが相殺されるよう、（ｔ１−ｔ０）×（Ｖ１−Ｖ０）と、（ｔ２−ｔ１）×（Ｖ０−Ｖ２）が同じ値になるように設定しておくことが好ましい。
【００６４】
また、図２の例では、第１区間から第２区間へ切り替わる際に、時間計測部１１０は、時間計測速度をＶ１からＶ２に非連続に変更している。従って、このタイミングに時刻表示部１２０を観察していた人間には、時間の計測速度が変更されたことを感づかれてしまい易くなる。
【００６５】
そこで、図６に示すように、第１区間における時間計測速度と第２区間における時間計測速度を滑らかに接続しても良い。すなわち、時間計測部１１０は、第１区間において基準速度よりも速い第１の時間計測速度で時間を計測し、第２区間において前記基準速度より遅い第２の時間計測速度で時間を計測する。ここで、時間計測部１１０は、第１の時間計測速度Ｖ１は、一定の幅を持つＶ０〜Ｖ１ｍａｘの時間計測速度であり、第２の時間計測速度Ｖ２は、一定の幅を持つＶ２ｍｉｎ〜Ｖ０の時間計測速度である。そして、時間計測部１１０は、第１区間から第２区間へ切り替わる際に時間計測速度Ｖ１と時間計測速度Ｖ２を滑らかに接続して時間計測を行う。すなわち、時間計測部１１０は、第１区間終了時点の時間計測速度Ｖ１と第２区間開始時点の時間計測速度Ｖ２が略等しくなるように時間計測速度を設定して時間計測を行う。このように構成すると更に良好である。
【００６６】
なおこの場合も周期単位であるｔ０〜ｔ２において∫（Ｖ−Ｖｓ）ｄｔが０となるように第１区間と第２区間の長さ及び時間計測速度Ｖを調整しておくことが好ましい。
【００６７】
（実施の形態２）
以下、本発明の第２の実施形態について図面を参照して詳細に説明する。但し、実施の形態１で既に説明した部分については説明を省略する。
【００６８】
図７は、本実施の形態２に係る時計２００の構成を示すブロック図である。時計２００は、時間計測部２１０及び時刻表示部１２０を備える。時間計測部２１０は、タイマー部２１３と、時刻情報生成部２１４と、制御部２１５と、を備える。ここで、タイマー部２１３は、第１タイマー部２１１と、第２タイマー部２１２と、の２種類のタイマー部を備える。
【００６９】
タイマー部２１３は、少なくとも第１の間隔で出力されるクロック信号と第２の間隔で出力されるクロック信号の２種類のクロック信号を出力する。
【００７０】
具体的には、第１タイマー部２１１は、正確に第１の時間間隔でクロック信号を発生させ、発生させたクロック信号を時刻情報生成部２１４に出力する。第１タイマー部２１１は、例えば高精度の水晶発振器等で構成することができる。従って、以下の説明では、当該第１タイマー部を第１発振部と称することもある。また、以下の説明では、第１タイマー部２１１より第１の時間間隔で出力されるクロック信号を第１クロック信号と称することがある。
【００７１】
また、第２タイマー部２１２は、正確に第２の時間間隔でクロック信号を発生させ、発生させたクロック信号を時刻情報生成部２１４に出力する。第２タイマー部２１２も、第１タイマー部２１１と同様、水晶発振器等で構成することができる。従って、以下の説明では、当該第２タイマー部を第２発振部と称することがある。また、以下の説明では、第２タイマー部２１２より第２の時間間隔で出力されるクロック信号を第２クロック信号と称することがある。
【００７２】
ここで、第１タイマー部２１１より出力されるクロック信号の間隔である第１時間間隔と第２タイマー部２１２より出力されるクロック信号の間隔である第２時間間隔とは異なるように調整されている。
【００７３】
ここでは、第１時間間隔は、標準となる一秒（標準一秒）より短い時間間隔であり、第２時間間隔は、標準一秒より長い時間間隔となるように各タイマー部の水晶発振器の発振周波数が調整されている。例えば、標準一秒を基準とした場合に、第１時間間隔は０．９秒の時間間隔であり、第２時間間隔は１．１秒の時間間隔とすることができる。
【００７４】
時刻情報生成部２１４は、制御部２１５からの制御に基づいて第１タイマー部２１１から出力される第１クロック信号又は第２タイマー部２１２から出力される第２クロック信号のいずれかを計数して時刻情報を生成する。具体的には、時刻情報生成部２１４は、制御部２１５からの制御に基づいて入力するクロック信号を選択し、選択した第１クロック信号又は第２クロック信号を入力する毎に一秒が経過したものとしてカウントアップする。時刻情報生成部２１４は、当該入力するクロック信号に基づいて内部カウンターをカウントアップすることで現在の時刻を求めて時刻情報を生成し、時刻表示部１２０に出力する。
【００７５】
制御部２１５は、第１タイマー部２１１から出力される第１クロック信号又は第２タイマー部２１２から出力される第２クロック信号のどちらのクロック信号を内部カウンタのカウントアップ用に用いるかを選択させる制御信号を時刻情報生成部２１４に出力する。
【００７６】
制御部２１５は、現在の時間帯が速い速度で時間計測を行う第１区間であるか、又は、遅い速度で時間計測を行う第２区間であるか、を判断する判断部を備えており、当該判断結果に基づいた制御信号を生成して時刻情報生成部２１４に出力する。
【００７７】
制御部２１５は、現在の時間帯が第１区間である場合に、第１クロック信号をカウントアップ用に選択させる制御信号を時刻情報生成部２１４に出力することで第１の時間計測速度を実現する。また、制御部２１５は、現在の時間帯が第２区間である場合に、第２クロック信号をカウントアップ用に選択させる制御信号を時刻情報生成部２１４に出力することで第２の時間計測速度を実現する。
【００７８】
時刻表示部１２０は、時刻情報生成部２１４から出力される時刻情報に基づいて時刻を表示する。ここで、時刻情報生成部２１４がどのような形態の時刻情報を時刻表示部１２０に出力するかは時刻表示部１２０の時刻表示方法に依存する。
【００７９】
例えば、時計表示部１２０が指針とモーター等で構成されるアナログ表示である場合は、時刻情報生成部２１４は、第１タイマー部２１１又は第２タイマー部２１２よりクロック信号を入力した場合に、一秒が経過したことを示す時刻情報を生成して時計表示部１２０に出力する。時計表示部１２０は、時刻情報生成部２１４より時刻情報を入力する毎に一秒が経過したものとして内部のモーターに電力を供給して駆動させ、秒針を駆動させる。
【００８０】
また、時計表示部１２０が液晶パネル等で構成されるデジタル表示である場合は、時刻情報生成部２１４は、制御信号に基づいて選択された第１タイマー部２１１又は第２タイマー部２１２よりクロック信号を入力する毎に一秒が経過したものとして内部カウンターをカウントアップし、現在の時刻をしめす時刻情報を生成する。時刻表示部１２０は、時刻情報生成部２１４より出力される現在の時刻を示す時刻情報に基づいて時刻表示を行う。
【００８１】
以上のように、本実施の形態２に係る時計２００は、第１の間隔で第１のクロック信号を出力する第１タイマー部（第１発振部）２１１と、第２の間隔で第２のクロック信号を出力する第２タイマー部（第２発振部）２１２と、当該第１のクロック信号又は第２のクロック信号のいずれかを選択させる制御を行う制御部２１５と、当該制御部２１５における制御に基づいて選択した前記第１のクロック信号又は第２のクロック信号に基づいて時刻情報を生成する時刻情報生成部２１４と、を具備する。
【００８２】
時計２００の時間計測部２１０が上記構成を備えることで、時間計測部２１０は、第１の区間において第１の時間計測速度で時間を計測し、第２の区間において第２の時間計測速度で時間を計測することが可能となる。
【００８３】
なお、時間計測部２１０は、図８のように構成されていても良い。図８において時刻情報生成部２１４は、選択部２１６と、計数部２１７と、を具備する。また、制御部２１５は、現在の時間帯が第１の区間であるか第２の区間であるかに基づいて選択部２１６が選択するクロック信号を切り替える制御信号を出力する。
【００８４】
選択部２１６は、制御部２１５から入力する制御信号に基づいて、第１タイマー部２１１から出力される第１クロック信号又は第２タイマー部２１２から出力される第２クロック信号のいずれかを選択して計数部２１７に出力する。
【００８５】
計数部２１７は、選択部２１６より入力する選択されたクロック信号に基づいてカウンターをインクリメントすることで時間計測を行う。すなわち、計数部２１７は、選択部２１６よりクロック信号を入力する毎に一秒が経過したものとして現在の時刻情報を生成して時刻表示部１２０に出力する。
【００８６】
当該構成とすることで、第１の区間において第１の時間計測速度で時間を計測し、第２の区間において第２の時間計測速度で時間を計測することができる。
【００８７】
また、図９に示すように、選択部２１６は、タイマー部２１３に含まれる構成であっても良い。選択部２１６は、制御部２１５から入力する制御信号に基づいて、第１タイマー部２１１から出力される第１クロック信号又は第２タイマー部２１２から出力される第２クロック信号のいずれかを選択して時刻情報生成部２１４に出力する。時刻情報生成部２１４は、タイマー部２１３内部の選択部２１６より出力されるクロック信号に基づいて時刻情報を生成して時計表示部１２０に出力する。すなわち、時刻情報生成部２１４は、選択部２１６よりクロック信号を入力する毎に一秒が経過したものとして現在の時刻情報を生成して時刻表示部１２０に出力し、時刻表示部１２０が当該時刻情報で示される時刻を表示する。このような構成を採用することも可能である。
【００８８】
また、時計２００は、図１０に示す構成であっても良い。図１０において、時間計測部２１０は、タイマー部２１３と時刻情報生成部２１４と、制御部２１５と、を備える。
【００８９】
タイマー部２１３は、発振周波数を可変とする発振回路等で構成され、発振周波数に基づいて所定の時間間隔でクロック信号を発生させる。例えばタイマー部２１３は、可変容量キャパシタ等を組み込んだ発振回路とし、制御部２１５からの制御信号によって当該キャパシタの静電容量を変化させることで発振周波数を制御する。
【００９０】
時刻情報生成部２１４は、タイマー部２１３から出力されるクロック信号に基づいて現在の時刻を示す時刻情報を生成して時刻表示部１２０に出力する。
【００９１】
制御部２１５は、現在の時間帯が第１の区間であることを示す第１制御信号又は第２の区間であることを示す第２制御信号をタイマー部２１３に出力することで、タイマー部２１３の発振周波数を制御し、クロック信号の出力周期を制御する。
【００９２】
このように、図１０に示す時計２００は、所定の周期でクロック信号を出力するタイマー部２１３と、当該タイマー部２１５における上記クロック信号の出力周期を制御する制御手段と、当該タイマー部２１３より出力されたクロック信号に基づいて時刻情報を生成する時刻情報生成部２１４と、を備える。時刻情報生成部２１４は、制御部２１５からの制御により発振周波数が制御されたクロック信号を入力する毎に内部カウンタをインクリメントし、クロック信号が入力する毎に単位時間が経過したとして現在の時刻を示す時刻情報を生成する。
【００９３】
当該構成とすることで、時間計測部２１０は、第１の区間において第１の時間計測速度で時間を計測し、第２の区間において第２の時間計測速度で時間を計測することが可能となる。また、可変容量キャパシタ等を用いて発振周波数を連続的に変化・制御することが可能であるため、第１の区間及び第２の区間において柔軟に時間の計測速度を設定することができる。
【００９４】
（実施の形態３）
以下、本発明の第３の実施形態について図面を参照して詳細に説明する。但し、実施の形態１、２で既に説明した部分については説明を省略する。
【００９５】
図１１は、本実施の形態３に係る時計３００の構成を示すブロック図である。時計３００は、時間計測部３１０と、時刻表示部１２０とを備える。ここで、時間計測部３１０は、タイマー部３１１と、計数部３１２と、制御部３１３と、時刻情報生成部３１４と、を備える。
【００９６】
タイマー部３１１は、水晶発振器等で構成することができる発振回路であり、周期的にクロック信号を発生させて計数部３１２に出力する。
【００９７】
ここで、タイマー部３１１は、時刻表示部１２０で表示可能な基準単位時間よりも十分短い周期間隔でクロック信号を発生させるように調整されている。例えば、時計表示部１２０で表示可能な最小の時間間隔である基準単位時間が１秒である場合、クロック信号の発生周期は１秒よりも十分小さな周期となるように調整される。
【００９８】
ここでは、タイマー部３１１は、上述した標準時間における標準１秒の１／１００、すなわち１０ｍｓ毎にクロック信号を発生させて計数部３１２に出力するものであるとして説明する。なお、当該１０ｍｓは一例であり、タイマー部３１１で発生させるクロック信号の周期は異なる値を採用することが可能である。
【００９９】
計数部３１２は、クロック信号を計数し、所定のカウント数分計数した時点で単位時間である１秒が経過したものとして単位時間経過信号を生成して時刻情報生成部３１４に出力する。
【０１００】
ここで、計数部３１２が何カウント計数した時点で単位時間である１秒が経過したとするかは制御部３１３からの制御に基づいて設定される。
【０１０１】
従って、計数部３１２が１００カウントで１秒が経過したものとして単位時間経過信号を時刻情報生成部３１４に出力する構成である場合は、正確な１秒経過毎に単位時間経過信号が出力される。
【０１０２】
制御部３１３は、計数部３１２が単位時間経過信号を出力するまでにクロック信号をカウントアップするカウント数を設定する制御を行う。制御部３１３は、現在の時間帯が第１の区間であることを示す場合には第１制御信号を、第２の区間であることを示す場合には第２制御信号をそれぞれ出力する。制御部３１３は、当該制御信号を計数部３１１２に出力することで、当該計数部３１１２において何カウント毎に１秒が経過したとするか、すなわち、計数部３１２における時間計測速度を設定する。
【０１０３】
本実施の形態３では、一例として、制御部３１３は、第１の区間では計数部３１２が９９カウント毎に単位時間経過信号を出力するように制御し、第２の区間では計数部３１２が１０１カウント毎に単位時間経過信号を出力するように制御するものとする。
【０１０４】
正確な１秒のカウント数である１００カウントの差が十分小さいため、時刻表示部１２０を観察していても人間には時間の進みが速いか遅いかは通常判断がつかない一方、１時間経過した時点で、約３６秒のズレを生じさせることができる。計算式は以下の式となる。
Δｔ１＝３６００秒×１００／９９≒３６３６秒          （１）
Δｔ２＝３６００秒×１００／１０１≒３５６４秒        （２）
【０１０５】
時刻情報生成部３１４は、計数部３１２から単位時間経過信号を入力する毎に単位時間である１秒が経過したとして現在の時刻を更新し、現在の時刻を示す時刻情報を時計表示部１２０に出力する。なお、時刻表示部１２０が指針による単純な表示構成をとる場合は、時刻情報生成部３１４は、計数部３１２より入力した単位時間経過信号をそのまま時刻情報として時計表示部１２０に出力しても良い。
【０１０６】
次に、時刻表示部１２０が表示する時刻について図面を用いて説明する。ここでは、朝１０時開店、夜１０時閉店である八百屋において、開店時には時計表示部１２０がより早い時刻を、また閉店時には時計表示部１２０がより遅い時刻を示すことが求められる場合において時間計測部３１０が行う時間計測について説明する。
【０１０７】
図１２は、計数部３１２が単位時間である１秒を計測するためにカウンタをインクリメントする回数である単位時間のカウント数を示している。また、制御部３１３は、午前１０時〜午後１０時を第１区間とし、午後１０時から午前１０時を第２区間として計数部３１２で１秒を計測するために必要とするカウント数を制御する。すなわち、制御部３１３は、午前１０時に第２区間から第１区間に変更する制御を行い、午後１０時に第１区間から第２区間に変更する制御を行う。
【０１０８】
計数部３１２は、第１区間ではタイマー部３１１より９９回のクロック信号を入力した場合に、単位時間である１秒が経過したとして単位時間経過信号を生成して時刻情報生成部３１４に出力する。一方、計数部３１２は、第２区間ではタイマー部３１１より１０１回のクロック信号を入力した場合に、単位時間である１秒が経過したとして単位時間経過信号を生成して時刻情報生成部３１４に出力する。
【０１０９】
１００カウントで標準である１秒が経過するため、見かけ上、第１区間では時間が速く進み、第２区間では時間が遅く進むことになる。
【０１１０】
図１３は、各時刻において時刻表示部１２０が実際に表示する時刻と標準時刻との時間のズレを示している。図１２及び図１３から分かるように第２区間では時間がゆっくり計測されるため、時刻表示部１２０で表示される時刻、すなわち指針はゆっくりと進むため、標準時間からのズレが拡大していく。最大のズレになるのは午前１０時であり、この段階で標準時刻より−２１６秒のズレが生じている。すなわち、標準時刻における午前１０時の段階で、時刻表示部１２０が実際に指し示している時刻は午前９時５６分２４秒である。
【０１１１】
午前１０時に来店した客は、この時計を見たとき、まだ開店前にもかかわらず自分のために店を開けてくれたと錯覚し、感謝することが期待できる。
【０１１２】
一方、午前１０時を経過した後は、第１区間に移行するため、指針の進む速度が速くなる。午後４時では、遅れていた時間のズレが相殺され、時刻表示部１２０は、標準時刻と同じ正しい時刻を示す。そして、閉店の午後１０時には、標準時刻より＋２１６秒のズレが生じている。すなわち、標準時刻における午後１０時の段階で、時刻表示部１２０が実際に指し示している時刻は午後１０時３分３６秒である。
【０１１３】
閉店時刻の午後１０時にこの時計を見た客は、既に４分近く閉店時刻から過ぎているのに店に居残っていることに罪悪感を抱き始めるため、店員が退店を促さなくても客自らが早めに退店することが期待できる。
【０１１４】
なお、制御部３１３は、現在の時刻が第１の区間であるか、すなわち上記の例では午前１０時〜午後１０時の間であるか、また、現在の時刻が第２の区間であるか、すなわち午後１０時〜午前１０時の間であるか、を認識できることが求められる。例えば、制御部３１３は、時刻情報生成部３１４で生成された時刻情報を入力し、当該時刻情報に示される時刻が午前９時５６分２４秒〜午後１０時３分３６秒の間であれば第１の区間であるとして計測部３１２における必要カウント数を９９カウントに維持し、当該時刻情報に示される時刻が午後１０時３分３６秒〜午後９時５６分２４秒の間であれば第２の区間であるとして計測部３１２における必要カウント数を１０１カウントに設定すると言った方法を取ることができる。
【０１１５】
また、時計３００は時刻表示部１２０で表示する時刻とは別に、正確な時刻を内部で計測、保持する構成が好ましい。そこで、図１４に示すブロック構成とするとなお良好である。図１４において、時間計測部３１０は、基準クロック数計測部３１５と基準時刻情報生成部３１６と、判断部３１７と、を備える。タイマー部３１１は、発生したクロック信号を計数部３１２と基準クロック数計数部３１５に出力する。
【０１１６】
基準クロック数計数部３１５は、正確な単位時間を計測し、単位時間が経過するごとに単位時間経過信号を基準時刻情報生成部３１６に出力する。ここで、タイマー部３１１よりクロック信号を１０ｍｓ毎に入力するため、基準クロック数計数部３１５は、クロック信号を１００カウント分入力する毎に基準時間である１秒が経過したものとして単位時間経過信号を生成して出力する。
【０１１７】
基準時刻情報生成部３１６は、基準クロック数計数部３１５より出力される正確な単位時間が経過したことを示す信号である単位時間経過信号に基づいて、正確な現在の時刻に関する情報である基準時刻情報を生成し、生成した基準時刻情報を判断部３１７に出力する。
【０１１８】
判断部３１７は、基準時刻情報生成部３１６より入力した基準時刻情報に基づいて現在の時間帯が第１区間であるか第２区間であるかを判断する。具体的には、判断部３１７は、基準時刻情報生成部３１６より入力した基準時刻情報に基づいて特定される現在の正確な時刻が、現在の時刻が午前１０時〜午後１０時の間であれば第１の区間と、また午後１０時から午前１０時の間であれば第２の区間であると判断し、対応する制御信号を計数部３１２に出力する。
【０１１９】
当該構成とすることで、時間計測部３１０は、時刻表示部１２０における表示用の時刻と、管理用の正確な時刻の２つの時刻を計測することができる。
【０１２０】
（実施の形態４）
以下、本発明の第４の実施形態について図面を参照して詳細に説明する。但し、実施の形態１〜３で既に説明した部分については説明を省略する。
【０１２１】
図１５は、本実施の形態４に係る時計４００の構成を示すブロック図である。時計４００は、大きく分けて時間計測部４１０と、時刻表示部４８１と、設定画面表示部４８２と、操作部４８３と、を備える。
【０１２２】
時間計測部４１０は、上述した時間計測部１１０、２１０、３１０と同様、少なくとも第１の区間において第１の時間計測速度で時間を計測し、第２の区間において第２の時間計測速度で時間を計測する。後述するように、時間計測部４１０は、別途基準となる時間も併せて計測することを特徴とする。また、上記第１の時間計測速度と第２の時間計測速度を設定する設定機能を備えていることを特徴とする。
【０１２３】
時刻表示部４８１は、上述した時刻表示部１２０と同様、時間計測部４１０で計測された現在の見せ掛けの時刻を表示する。時刻表示部４８１は、時刻を知りたい観察者に現在の時刻を提示するものであり、一般的に時計４００の正面に見えやすい形で配置される。
【０１２４】
操作部４８３は、当該時計４００の使用者が、時刻表示部４８１で表示する時刻を基準時刻との関係でどのように表示するかを設定するための操作・入力を行うものであり、例えば、時計４００に取り付けられた入力キーやタッチパネルがこれに該当する。
【０１２５】
設定画面表示部４８２は、時計４００の使用者が、時刻表示部４８１で表示する時刻を基準時刻との関係でどのように表示するかを設定するための設定画面を表示する。使用者が操作部４８３を通じて設定画面の表示指示を行った場合、当該設定画面が設定画面表示部４８２に表示される。
【０１２６】
設定画面表示部４８２は、時刻表示部４８１とは異なる位置に配置されることが好ましく、一般の時計観察者に見えないように時計４００の背面や上面に配置されることが好ましい。また、使用者が設定しやすいよう、設定画面はデジタル表示されることが好ましく、従って設定画面表示部４８２は、小型の液晶パネルや有機ＥＬパネル等で構成されることが好ましい。
【０１２７】
図１６は、時計４００の６面図を示している。正面には観察者に見えやすいように時刻表示部４８１が配置されている。また、一般の観察者には、当該時計４００が時刻制御可能な時計であることを悟られないよう時刻表示部４８１の反対側の背面に配置されている。また、背面には、操作部４８２も配置されている。
【０１２８】
図１５に戻って、時間計測部４１０は、タイマー部４２０と、第１時刻情報生成部４３０と、第２時刻情報生成部４４０と、設定部４５０と、設定情報記憶部４６０と、制御部４７０と、を備える。
【０１２９】
タイマー部４２０は、正確な周期でクロック信号を第１時刻情報生成部４３０及び第２時刻情報生成部４４０へ出力する。ここでは、タイマー部４２０は、上述のタイマー部３１１と同様、正確に１０ｍｓ毎にクロック信号を発生させて出力するものとする。
【０１３０】
第１時刻情報生成部４３０は、基準となる時刻である基準時刻情報を生成する。第１時刻情報生成部４３０は、基準クロック数計数部４３１と、基準時刻情報生成部４３２と、を備える。
【０１３１】
基準クロック数計数部４３１は、タイマー部４２０から出力されたクロック信号を計数し、所定のカウント数分計数した時点で単位時間である１秒が経過したものとして単位時間経過信号を生成して基準時刻情報生成部４３２に出力する。
【０１３２】
ここで、基準クロック数計数部４３１が何カウント計数した時点で単位時間である１秒が経過したとするかは、｛標準単位時間（標準１秒）／クロック信号の発振周期｝に最も近い値に予め設定されている。ここでは、基準クロック数計数部４３１は、１秒／１０ｍｓ＝１００カウント分計数する毎に正確な単位時間である標準１秒が経過したものとして単位時間経過信号を生成して出力する。
【０１３３】
基準時刻情報生成部４３２は、基準クロック数計数部４３１が出力した単位時間経過信号に基づいて現在の正確な時刻である基準時刻を示す基準時刻情報を生成する。基準時刻情報生成部４３２は、生成した基準時刻情報を設定部４５０に出力する。
【０１３４】
第２時刻情報生成部４４０は、時刻表示部４８１で表示する時刻に関する情報である表示用時刻情報を生成する。第２時刻情報生成部４４０は、表示用クロック数計数部４４１と、表示用時刻情報生成部４４２と、を備える。
【０１３５】
表示用クロック数計数部４４１は、タイマー部４２０から出力されたクロック信号を計数し、所定のカウント数分計数した時点で単位時間である１秒が経過したものとして単位時間経過信号を生成して表示用時刻情報生成部４４２に出力する。
【０１３６】
ここで、表示用クロック数計数部４４１が何カウント計数した時点で単位時間である１秒が経過したとするかは制御部４７０からの制御に基づいて設定される。表示用クロック数計数部４４１は、制御部４７０から指定されるクロック数分をカウントする毎に単位時間経過信号を表示用時刻情報生成部４４２に出力する。
【０１３７】
設定部４５０は、操作部４８３を介して行われる使用者からの設定操作に基づいて第２時刻情報生成部４４０で時間を計測する時間計測速度を設定する。具体的には、設定部４５０は、当該時間計測速度を設定するための設定画面を設定画面表示部４８２に表示する。
【０１３８】
図１７は、設定画面表示部４８２が表示する設定画面の一例を示している。
【０１３９】
設定部４５０は、基準時刻情報生成部４３２から入力した基準時刻情報と表示用時刻情報生成部４４２から入力した表示用時刻情報に基づいて、現在の正確な時刻である基準時刻と現在時刻表示部４８１で表示中の表示時刻を設定画面表示部４８２に表示する。
【０１４０】
また、設定画面表示部４８２には、時間をずらして表示する時刻に該当する「対象時刻」、当該時間をずらす時間幅に該当する「変移幅」、基準時間から時間をずらし始めるタイミングを示す「立ち上がり時刻」、どのような関数すなわち傾きパターンで時間をずらしていくかを指定する「立ち上げパターン」、基準時間に戻るタイミングを指定する「立ち戻り時刻」、どのような関数すなわち傾きパターンでずれた時間を元に戻していくかを指定する「立ち下げパターン」、等に関する情報が時間計測速度に関する情報として表示されている。設定部４５０は、操作部４８３で受けた操作入力に基づいて、これらの時間計測速度に関する情報を設定する。
【０１４１】
また、設定画面表示部４８２には、入力された情報に基づいてどのように時間がずれていくかを捉えやすいようにグラフが示されている。当該グラフでは、横軸が時間軸であり、縦軸が基準時刻からのズレ幅を示す変移幅（秒）が示されている。
【０１４２】
ここでは、時間をずらして表示する対象時刻がＡＭ６時とＰＭ６時の２箇所あり、それぞれについて設定値１、設定値２としてその他の時間計測速度に関する情報が設定されている。
【０１４３】
ＡＭ６時についての設定値１では、基準時間からのズレ幅である変移幅が−３００秒であり、１時間４０分前のＡＭ４時２０分が立ち上がり時刻に設定されている。従って、第２時間情報生成部４４０は、制御部４７０からの制御に従って、１時間４０分かけて第１時間情報生成部４３０で生成される基準時刻よりも３００秒遅れるように遅い速度で時間計測を行う。
【０１４４】
ここで、立ち上げパターンが直線パターンを示すパターン１に設定されているため、制御部４７０は、第２時間情報生成部４４０で生成される表示時間と第１時間情報生成部４３０で生成される基準時間の時間差が直線的にずれていくように第２時間情報生成部４４０の時間計測速度を制御する。具体的には、制御部４７０は、時間を遅く計測する期間である第２区間であるＡＭ４時２０分からＡＭ６時までの１時間４０分の間、表示用クロック数計数部４４１において１秒を計測するために要するクロック信号のカウント数を基準クロック数計数部４３１が１秒を計測するために要するクロック信号のカウント数より多いカウント数に固定して設定する。
【０１４５】
また、対象時刻であるＡＭ６時から１時間４０分後のＡＭ７時４０分が立ち戻り時刻に設定されている。従って、第２時間情報生成部４４０は、制御部４７０からの制御に従って、３００秒の時間の遅れを１時間４０分かけて第１時間情報生成部４３０で生成される基準時刻より早い速度で時間計測を行うことで取り戻す。
【０１４６】
また、立ち下げパターンが直線パターンを示すパターン１に設定されている。そのため、制御部４７０は、第２時間情報生成部４４０で生成される表示時間と第１時間情報生成部４３０で生成される基準時間の時間差が直線的に戻っていくように第２時間情報生成部４４０の時間計測速度を制御する。具体的には、制御部４７０は、時間を速く計測する期間である第１区間であるＡＭ６時からＡＭ７時４０分までの１時間４０分の間、表示用クロック数計数部４４１において１秒を計測するために要するクロック信号のカウント数を基準クロック数計数部４３１が１秒を計測するために要するクロック信号のカウント数より少ないカウント数に固定して設定する。
【０１４７】
なお、設定値２である対象時間がＰＭ６時の場合については、上記設定値１と同様であるため説明を省略する。
【０１４８】
図１８は、上記設定において、各時刻の時間計測速度、すなわち表示用クロック数計数部４４１における単位時間のカウント数を示している。基準クロック数計数部４３１が１０ｍｓ毎に出力されるクロック信号を１００カウントする毎に１秒が経過したとするのに対し、表示用クロック数計数部４４１は、第２区間であるＡＭ４時２０分〜ＡＭ６時とＰＭ６時〜ＰＭ７時４０分は、上記クロック信号を１０５カウントする毎に１秒が経過したとして単位時間経過信号を出力する。また、表示用クロック数計数部４４１は、第１区間であるＡＭ６時〜ＡＭ７時４０分とＰＭ４時２０分〜ＰＭ６時は、上記クロック信号を９５カウントする毎に１秒が経過したとして単位時間経過信号を出力する。なお、その他の区間（時間帯）は、第３の区間であるとして、表示用クロック数計数部４４１は、基準速度である１００カウント１秒でクロック信号の計数を行う。
【０１４９】
なお、図１９に示すように、立ち上げパターンと立ち下げパターンとして曲線で滑らかに時間計測速度を変更するように設定しても良い。このように滑らかに時間計測速度を変更していくことでより時間計測速度が変わっていることを観察者に感知されること無く時間のズレを作り出すことができる。
【０１５０】
図２０は、制御部４７０が第２時刻情報生成部４４０における時間計測速度を制御する流れの一例を示すフローチャート図である。
【０１５１】
制御部４７０は、基準時刻情報生成部４３２より現在の正確な時刻を示す基準時刻情報を入力する（ステップＳ１０１）。続いて、制御部４７０は、表示用時刻情報生成部４４２から現在時刻表示部４８１で表示中の時刻を示す表示用時刻情報を入力する（ステップＳ１０２）。
【０１５２】
続いて制御部４７０は、設定情報記憶部４６０に記憶されている設定情報を読み出す（ステップＳ１０３）。ここで、制御部４７０が読み出す設定情報は、時間計測速度に関する情報であり、具体的には、設定部４５０によって設定されている、時間をずらして表示する時刻を示す対象時刻、対象時刻のタイミングにおける基準時刻と表示用時刻との時間のズレ幅（変移幅）、立ち上げパターン、等に関する情報である。
【０１５３】
次に、制御部４７０は、残りの時間、すなわち対象時刻から現在の正確な時刻である基準時刻を引いた時間を算出する（ステップＳ１０４）。
【０１５４】
次に、制御部４７０は、残りの変移量、すなわち（変移幅−（表示用時刻−基準時刻））を算出する（ステップＳ１０５）。当該残りの変移量が、ステップＳ１０４で求めた残りの時間内にずらし終えねばならない時間差の量を示している。
【０１５５】
次に制御部４７０は、ステップＳ１０３で入力した各情報に基づいて、現在の時刻でずれているべき変移量と現実の変移量である（表示用時刻−基準時刻）とを比較し、現在の時間計測速度で良いかを判定する（ステップＳ１０６）。
【０１５６】
現在の時間計測速度で問題が無ければ、現在の速度を維持して処理を終了する。一方、現在の時間計測速度では問題がある、すなわち対象時刻に要求された時間の変移幅を実現できない場合は、制御部４７０は、時間計測速度を変更する制御を行う（ステップＳ１０７）。具体的には、制御部４７０は、表示用クロック数計数部４４１で単位時間の計測に要するクロック数を変更する。
【０１５７】
制御部４７０が以上のステップＳ１０１〜ステップＳ１０７の処理を定期的に行うことで、対象時刻のタイミングで設定された時間のズレを含む時刻を表示することが可能となる。
【０１５８】
なお、上記説明では、設定部４５０は、時間計測速度に関する情報として、立ち上がり・立ち戻り時刻を設定する場合について説明したがこれに限定されるものではない。例えば、設定部４５０は、対象時刻と、その前後に配置される時間計測速度を早めて時間計測を行う区間である第１区間と時間計測速度を遅らせて時間計測を行う区間である第２区間の時間帯を設定するよう構成しても良い。
【０１５９】
また、上記時計４００において時刻表示部４８１で表示する時刻として、制御された時刻と正しい時刻のいずれかを切り替えて表示できる構成とすることが好ましい。図２１は、時計４００の別の構成を示すブロック図であり、新たに表示時刻選択部４９０を備える。
【０１６０】
表示時刻選択部４９０は、設定部４５０からの設定に基づいて、時刻表示部４８１で表示する時刻として制御部４７０で制御された表示用時刻か、現在の正しい時刻を示す基準時刻のいずれかを選択する。
【０１６１】
より具体的には、当該時計４００の使用者は、時刻表示部４８１で表示させる時刻として、制御部４７０で制御された表示用時刻か、現在の正しい時刻を示す基準時刻のいずれかを操作部４８３を介して入力する。設定部４５０は、当該操作入力に基づいて表示時刻選択部４９０に時刻表示部４８１で表示する時刻を設定する。表示時刻選択部４９０は、設定部４５０からの上記設定に基づいて表示用時刻情報生成部４４２から入力する表示用時刻情報か基準時刻情報生成部４３２から入力する基準時刻情報のいずれか片方を選択して時刻表示部４８１に出力する。
【０１６２】
また、図２２に示すように、設定部４５０は、表示用時刻情報生成部４４２より制御部４７０によって表示用に制御された状態で求められた時刻を入力し、基準時刻情報生成部４３２より現在の正しい時刻を示す基準時刻を入力し、設定画面表示部４８２に設定画面として表示させる。更に、設定部４５０は、操作部４８３で受けた表示する時刻に関する操作入力に基づいて設定画面表示部４８２に選択した時刻である表示中の時刻を表示させる。
【０１６３】
当該構成とすることで、当該時計４００を通常の時計として使用することができる。この時、制御部４７０は、第２時刻情報生成部４４０の機能を止める制御を行うと、消費電力を節約できるため好ましい。
【０１６４】
また、設定部４５０は、基準時刻の調整設定を行う機能を有していることが好ましい。現実には、世界で標準化されている標準時刻に対して、時計４００内部で生成される基準時刻はズレが生じる。従って、使用者が基準時刻の調整を行えることが好ましい。操作部４８３より基準時刻調整用の操作入力を受け、設定部４５０は、当該操作入力に基づいて基準時刻情報生成部４３２に時刻調整用のオフセット情報を出力する。基準時刻情報生成部４３２は、自身が求める基準時刻情報に対して設定部４５０より入力したオフセット情報に基づく時刻補正を行い、現在の時刻を示す新たな基準時刻とする。また、設定部４５０は、当該設定に基づいて表示用時刻情報生成部４４２で生成される表示用時刻情報も同様のオフセット時間分時刻補正を行う。このようにして、時刻表示部４８１の時刻も調整できる構成とすると更に良好である。
【０１６５】
また、時計４００は、外部から送信される電波やＧＰＳ信号を受信する受信部を更に備え、設定部４５０は、当該電波やＧＰＳ信号に基づいて現在の正確な時刻を取得し、標準時刻情報として基準時刻生成部４３２に出力する構成としても良い。基準時刻情報生成部４３２は、設定部４５０から標準時刻情報を入力し、当該標準時刻情報が示す時刻がより正確な現在の時刻であるとして基準時刻情報と置き換える。このように構成されていると、基準時刻がより正確化されるため、なお良好である。
【０１６６】
また、上記説明では、時計４００に操作部４８３と設定画面表示部４８２が直接備えられている場合について説明したがこれに限定されるものではない。例えば、図２３に示すように、外部のリモートコントローラ５００より設定できる構成であってもよい。
【０１６７】
ここで、リモートコントローラ５００は、操作部５１０と、設定部５２０と、通信部５３０と、を少なくとも具備する装置であり、例えばスマートフォンなどの携帯端末装置とすることも可能である。
【０１６８】
操作部５１０は、当該時計４００の使用者が、時刻表示部４８１で表示する時刻を基準時刻との関係でどのように表示するかを設定するための操作・入力を受ける。設定部５２０は、操作部５１０で受けた操作入力に基づいて時間計測速度に関する情報を設定情報として通信部５３０に出力する。通信部５３０は、設定部５２０より入力した情報を無線送信する。無線通信方法としては例えばBluetooth（登録商標）などの近距離通信を利用できる。
【０１６９】
時計４００も新たに通信部４８４を備えており、当該通信部４８４は、リモートコントローラ５００の通信部５３０より無線送信された設定情報を無線受信する。通信部４８４は、無線受信した設定情報を４５０に出力する。設定部４５０は、通信部４８４より入力した設定情報を設定情報記憶部４６０に格納する。
【０１７０】
当該構成でも、時計４００の使用者は柔軟に表示時間の制御設定を行うことが可能となる。
【０１７１】
（実施の形態５）
時間に縛られた生活を送る私達のほとんどは、朝、目覚まし時計を使って起床している。しかしながら、朝は起き難いものであり、アラームが鳴っても二度寝する人も多い。それは、アラームをセットする人と当該アラームで起こされる人が同一であり、自身が時間的に余裕を持ってアラームをセットしていることを知っているためである。従って、つい二度寝してしまい、そのまま遅刻すると言った経験をした人は、本発明者を含め多数存在する。本実施の形態５に係る時計はこのような事態を防ぐ機能を具備している。以下、本発明の第５の実施形態について図面を参照して詳細に説明する。但し、実施の形態１〜４で既に説明した部分については説明を省略する。
【０１７２】
図２４は、本実施の形態５に係る時計６００の構成を示すブロック図である。時計６００は、新たにアラーム部６２０を備え、設定部６５０は新たにアラーム設定機能を有する。
【０１７３】
設定部６５０は、アラーム部６２０においてアラーム音を鳴らす時刻を操作部４８３で受ける使用者からの操作入力に基づいて設定する。設定部４６０は、時間計測速度に関する情報と共に、当該アラーム時刻を設定情報記憶部４６０に記憶しておく。
【０１７４】
アラーム部６２０は、設定情報記憶部４６０に記憶されているアラーム時刻と表示用時刻情報生成部４４２で生成された時刻とを比較し、これらの２つの時刻が同一である場合にアラーム音を発する。
【０１７５】
図２５は、設定画面表示部４８２に表示される設定画面の一例を示している。当該設定画面の右上には、現在の正確な時刻である基準時刻と、時刻表示部４８１で表示中の表示時刻が示されている。
【０１７６】
また、アラーム情報として、アラームを鳴らす時刻であるアラーム時刻と、アラーム音のパターンが表示されている。また、設定情報として時間をずらして表示する対象となる時刻である対象時刻と、当該対象時刻に表示する時刻と基準時刻とのズレ幅に該当する変移幅と、どの時間帯（区間）に計測速度を変更するかを示す計測速度変更区間が、表示されている。これらの情報は、設定部６５０が操作部４８３で受けた使用者からの操作入力に基づいて設定可能な構成をとる。すなわち、設定部６５０は外部からの操作入力に基づいて、アラーム時刻やアラーム音パターンと言ったアラーム情報と、対照時刻、変移幅、計測速度変更区間と言った設定値を設定する。設定部６５０が設定するこれらの情報は纏めて設定情報として設定情報記憶部４６０に記憶される。
【０１７７】
ここで、当該設定値について説明する。本実施の形態では、基準時刻からのズレ幅を示す変移幅に一定の幅が設けられている。また、時間計測速度を変更する区間にも一定の幅が設けられている。
【０１７８】
制御部６７０は、設定情報記憶部４６０に記憶されているこれらの情報に基づいて、これらの条件を満たす範囲内でランダムに時間計測速度を選択し、表示用クロック数計数部４４１におけるクロック信号のカウント数を設定する。
【０１７９】
例えば、図２５の例では、変移幅が−３００秒〜＋３００秒であるため、現在の時刻が対象時刻である８時１０分になった時に、時刻表示部４８１で表示する時刻は８時５分〜８時１５分のいずれかの時刻を示すように制御部６７０によって制御される。ここで、８時１０分の段階で８時５分〜８時１５分のいずれの時刻を指し示すかは、日によってランダムに選択されるようにすると良い。
【０１８０】
ここで、計測速度変更区間が１時間前〜１時間後に設定されているため、制御部６７０は、現在の時刻が設定された対象時刻である８時１０分の１時間前である７時１０分になると第２時刻情報生成部４４０における時間計測速度が基準となる時間計測速度と異なるように制御し始める。但し、制御部６７０は、対象時刻の８時１０分における時間のズレ幅が設定された変移幅の範囲内に収まるように時間計測速度を変更する。そして、制御部６７０は、対象時刻である８時１０分の１時間後である９時１０分には、時刻表示部４８１で表示される時刻が基準時刻に戻るように時間計測速度を制御する。
【０１８１】
上述したように、本実施の形態５に係る時計６００は、時間計測速度を制御する制御手段と、前記制御手段で制御された時間計測速度で時間を計測して現在の時刻を求める時間情報生成手段と、アラーム音を鳴らす時刻であるアラーム時刻を設定するアラーム設定手段と、前記設定されたアラーム時刻と前記時間情報生成手段で求められた現在の時刻とが一致した場合にアラーム音を鳴らすアラーム手段と、を備える。
【０１８２】
当該構成とすることで、アラームが鳴って使用者が時刻表示部４８１を見た場合、時刻表示部４８１は、自身が指定したアラーム時刻を示しているものの、表示中の時刻は、正確な時刻からずれているため、使用者は、起きて別の時計を見に行く必要が出てくる。従って、二度寝を防止する効果を実現することができる。
【０１８３】
（実施の形態６）
実施の形態６に係る時計は、実施の形態５と同様、アラームによる注意喚起効果を高めることを特徴とする。
【０１８４】
図２６は、実施の形態６に係る時計７００の構成を示すブロック図である。時計７００は、アラーム時刻設定部７１０と、アラーム時刻情報記憶部７２０と、制御部７３０と、時間計測部７４０と、時刻表示部７５０と、アラーム部７６０と、を備える。
【０１８５】
アラーム時刻設定部７１０は、使用者からの操作入力に基づいてアラーム部７６０でアラーム音を報知する時刻であるアラーム時刻を設定する。
【０１８６】
アラーム時刻情報記憶部７２０は、アラーム時刻設定部７１０で設定されたアラーム時刻に関する情報をアラーム時刻情報として記憶しておく。
【０１８７】
制御部７３０は、アラーム時刻情報記憶部７２０に記憶されているアラーム時刻情報に基づいて、アラーム時刻のタイミングに正確な時刻からずれた時刻を表示するように時間計測部７４０における時間計測速度を制御する。
【０１８８】
時間計測部（時刻情報生成部）７４０は、制御部７３０からの制御に従って時間計測を行い、現在の時刻を示す時刻情報を生成する。時間計測部７４０の時間計測方法は、他の実施の形態で既に説明した時刻情報生成部と略同一であるため説明を省略する。
【０１８９】
時間計測部７４０は、生成した時刻情報を時刻表示部７５０とアラーム部７６０に出力する。
【０１９０】
時刻表示部７５０は、時間計測部７４０より入力した時刻情報で示される時刻を表示する。
【０１９１】
アラーム部７６０は、時間計測部７４０から入力した時刻情報で示される時刻とアラーム時刻情報記憶部７２０に記憶されているアラーム時刻とを比較し、これらの２つの時刻が一致した場合はスピーカーよりアラーム音を報知する。
【０１９２】
以上の構成とすることで、アラーム音で目覚めた使用者は、時刻表示部７５０で表示中の時刻が正しい現在の時刻ではなく、既にかなり時刻が過ぎていることを心配して目覚めると言った効果を創出することが期待できる。
【０１９３】
なお、時計７００は、図２７の構成とすることも可能である。図２７において、時計７００は、アラーム時刻設定部７１０と、時間計測速度情報設定部７１２と、表示画面設定部７１３と、を含む設定部７１１を具備する。設定部７１１は、操作部７７０からの操作入力に基づいて各種の設定を行う。
【０１９４】
また、アラーム時刻情報記憶部７２０と、時間計測速度情報記憶部７２２とを含む設定情報記憶部７２１を具備する。記憶部７２１は、設定情報を記憶する記憶手段であり、不揮発性メモリ等で構成することができる。
【０１９５】
また、時計７００は、時刻表示部７５０に変わって画面表示部７８０を備える。画面表示部７６０は、例えば液晶パネルのようにデジタル表示可能なディスプレイであり、複数の画面を切り替えて表示する。
【０１９６】
以下、更に詳細に説明する。時間計測速度情報設定部７１２は、操作入力部７７０で受けた外部からの操作入力に基づいて時間計測部７４０での時間計測速度に関する時間計測速度情報を設定する。ここで時間計測速度情報は、制御部７３０が、行う時間計測速度の制御に用いられる情報であり、上述の実施の形態で既に説明したように、対象時刻であるアラーム時刻において基準時刻からどの程度ずれて表示されるかを示す変移幅や、どの程度の長さの区間で当該変移幅が生じるようにするかなどの情報とすることができる。
【０１９７】
時間計測速度情報設定部７１２は、設定した時間計測速度情報を時間計測速度情報記憶部７２２に出力する。時間計測速度情報記憶部７２２は、時間計測速度情報設定部７１２より入力した時間計測速度情報を記憶する。
【０１９８】
基準時間計測部７４１は、基準となる時刻を示す基準時刻情報を生成して制御部７３０に出力する。基準時刻情報の生成方法は、上述したとおりクロック信号を基準となる回数カウントする毎に単位時間が経過したとして現在の時刻を更新していく方法等を取ることが可能である。
【０１９９】
制御部７３０は、アラーム時刻情報記憶部７２０より入力したアラーム時刻情報で指定されるアラーム時刻と、時間計測速度記憶部７２２から入力した時間計測速度情報とに基づいて、基準時間計測部７４１より入力した基準時刻情報で示される現在の時刻において時間計測部７４０における時間計測速度を算出する。制御部７３０は、当該算出した時間計測速度で時間計測部７４０が時間計測を行うよう制御する。
【０２００】
ここで、制御部７３０は、時間計測速度情報に含まれる変移幅の範囲内から適当な値を選択して時間計測速度を制御するとアラーム時刻が日によってバラけるため更に良好である。時間計測速度情報には、どの頻度で正確な時間を示す時間計測速度で計測するかが指定されていてもよい。また、当該時間計測速度情報設定部７１２は、変移幅として複数の値を時間計測速度情報記憶部７２２に記憶しておき、制御部７３０は、当該記憶された複数の変移幅の中から毎日ランダムに一つの変移幅を選択して時間計測速度を制御しても良い。制御部７３０は、選択した変移幅で示される時間分基準時刻からずらした時刻がアラーム時刻となるように時間計測部７４０における時間計測速度を制御する。なお時間計測部７４０も、クロック信号を制御部７３０で指定される回数計数することで単位時間が経過したものとして時刻情報を生成していく手法を採用することができる。この場合も、制御部７３０は、アラーム時刻経過後は基準時刻に戻るように制御するため、時間計測部７４０は、第１の区間において第１の時間計測速度で時間を計測し、第２の区間において第２の時間計測速度で時間を計測する。
【０２０１】
時間計測部７４０は、制御部７３０からの制御に基づいて設定される時間計測速度で時間計測を行い、時刻情報を生成して画面表示部７８０及びアラーム部７６０に出力する。
【０２０２】
設定部７１１に戻って、表示画面設定部７１３は、操作部７７０で受けた画面切替の操作入力に基づいて、画面表示部７８０で表示する画面を切り替える。
【０２０３】
画面表示部７６０は、例えば、現在の時刻を示す時刻表示画面、アラーム時刻を設定するためのアラーム設定画面、時間計測速度情報を設定するための時間計測速度情報設定画面、等の各画面を表示画面設定部７１３からの設定に基づいて表示する。画面表示部７６０は、デジタル画面であるため、一つのパネルで複数の画面を用途に応じて切り替えることが可能である。また、画面表示部７６０は、基準時間計測部７４１から現在の正確な時間を示す基準時刻を入力して表示画面設定部７１３からの設定に基づいて表示しても良い。
【０２０４】
以上、各実施の形態で説明したように、本発明の時計によれば、正確な時間を知れるが故に不都合が生じる現代の生活の中で、正確でない時刻を制御された状態で表示することで、これまでに無かった時計の付加価値を生むことが可能となる。
【０２０５】
例えば、本発明の時計によれば、所定の時刻において意図的に正確な時刻から外れた時刻を表示できる一方、別の時刻では正確な時刻を示すことで、観察者に正確な時計であると感じさせつつ、必要なタイミングで観察者の行動を制御することができる。
【０２０６】
なお、上記説明した各構成要素は、ハードウェアによって実現されていても良いし、ソフトウェアとハードウェアの協調により実現されても良い。例えば、上述した時計の各機能ブロックは、ＣＰＵ（Central Processing Unit）にプログラムを実行させることで実現することが可能である。特に、制御部、時間計測部、時刻情報生成部、設定部は、当該ＣＰＵにプログラムを実行させて実現すること方がコスト等の関係で好ましい。
【０２０７】
なお、上記各実施の形態で説明した時計は一例であり、各実施の形態を組み合わせた時計とすることも可能である。
【０２０８】
また、上記で説明した時間計測部の各部は、それぞれ半導体集積回路を用いて実現されてもよい。ここで集積回路はＬＳＩ、ＶＬＳＩ，ＵＬＳＩと称されることもある。
【産業上の利用可能性】
【０２０９】
本発明に係る時計は、壁掛けの時計や目覚まし時計、その他あえて時間をずらして表示させたい用途の時計に利用することができる。
【符号の説明】
【０２１０】
１１０  時間計測部                        １２０  時刻表示部
２１０  時間計測部                        ２１１  第１タイマー部
２１２  第２タイマー部                    ２１３  タイマー部
２１４  時刻情報生成部                    ２１５  制御部
２１６  選択部                            ２１７  計数部
３１０  時間計測部                        ３１１  タイマー部
３１２  計数部                            ３１３  制御部
３１４  時刻情報生成部                    ３１５  基準クロック数計数部
３１６  基準時刻情報生成部                ３１７  判断部
４１０  時間計測部                        ４２０  タイマー部
４３０  第１時刻情報生成部                ４３１  基準クロック数計数部
４３２  基準時刻情報生成部                ４４０  第２時刻情報生成部
４４１  表示用クロック数計数部            ４４１  表示用時刻情報生成部
４５０  設定部                            ４６０  設定情報記憶部
４７０  制御部                            ４８１  時刻表示部
４８２  設定画面表示部                    ４８３  操作部
４８４  通信部                            ４９０  表示時刻選択部
５００  リモートコントローラ              ５１０  操作部
５２０  設定部                            ５３０  通信部
６１０  時間計測部                        ６２０  アラーム部
６５０  設定部                            ６７０  制御部
７１０  アラーム時刻設定部                ７１１  設定部
７１２  時間計測速度情報設定部            ７１３  表示画面設定部
７２０  アラーム時刻情報記憶部            ７２１  設定情報記憶部
７２２  時間計測速度情報記憶部            ７３０  制御部
７４０  時間計測部                        ７４１  基準時間計測部
７５０  時刻表示部                        ７６０アラーム部
７７０  操作部                            ７８０  画面表示部
【図１】
2013228213.tif 000003
【図２】
2013228213.tif 000004
【図３】
2013228213.tif 000005
【図４】
2013228213.tif 000006
【図５】
2013228213.tif 000007
【図６】
2013228213.tif 000008
【図７】
2013228213.tif 000009
【図８】
2013228213.tif 000010
【図９】
2013228213.tif 000011
【図１０】
2013228213.tif 000012
【図１１】
2013228213.tif 000013
【図１２】
2013228213.tif 000014
【図１３】
2013228213.tif 000015
【図１４】
2013228213.tif 000016
【図１５】
2013228213.tif 000017
【図１６】
2013228213.tif 000018
【図１７】
2013228213.tif 000019
【図１８】
2013228213.tif 000020
【図１９】
2013228213.tif 000021
【図２０】
2013228213.tif 000022
【図２１】
2013228213.tif 000023
【図２２】
2013228213.tif 000024
【図２３】
2013228213.tif 000025
【図２４】
2013228213.tif 000026
【図２５】
2013228213.tif 000027
【図２６】
2013228213.tif 000028
【図２７】
2013228213.tif 000029